(57)【要約】【課題】陳列台間の間隔を小さくして陳列面積を増大するとともに、陳列台上を明るく照明することができる陳列棚を提供する。【解決手段】複数の陳列台をほぼ平行に配設した物品の陳列棚であって、各陳列台の下面において、複数のＬＥＤを当該陳列台の長辺方向に一列に配設し、当該複数のＬＥＤを発光させることにより、当該陳列棚の下段の陳列台上面を照明することを特徴とする陳列棚。【選択図】図１
0003134513.tif 000002
【実用新案登録請求の範囲】
【請求項１】
複数の陳列台をほぼ平行に配設した物品の陳列棚であって、
各陳列台の下面において、複数のＬＥＤを当該陳列台の長辺方向に一列に配設し、
当該複数のＬＥＤを発光させることにより、当該陳列台の下段の陳列台上面を照明することを特徴とする陳列棚。
【請求項２】
前記複数のＬＥＤは、その高さ方向寸法が１ｃｍ以上かつ３ｃｍ以下であり、前記複数の陳列台の高さ方向における配置間隔は、１０ｃｍ以上かつ２０ｃｍ以下であることを特徴とする請求項１に記載の陳列棚。
【請求項３】
前記複数のＬＥＤは、当該複数のＬＥＤに電源供給可能なコンピュータ用基板上に配設されていることを特徴とする請求項１又は２に記載の陳列棚。
【請求項４】
前記各陳列台の下面に配設された前記複数のＬＥＤと、当該陳列台の下段の陳列台との間に、アクリル板を配置したことを特徴とする請求項１から３のいずれか１項に記載の陳列棚。
【考案の詳細な説明】
【技術分野】
【０００１】
本考案は、眼鏡等の商品を陳列するための複数の平行な陳列台を有する陳列棚に関し、特に、陳列台間の間隔を小さくして陳列面積を増大するとともに、陳列台上を明るく照明することができる陳列棚に関するものである。
【背景技術】
【０００２】
従来、眼鏡販売店において、商品である眼鏡は平らな陳列台の上に陳列される（平置き）ほか、複数段の陳列台を有する陳列棚に陳列されることも多い。このような眼鏡陳列棚の例を図４に示す。
【０００３】
図示するように、従来の眼鏡陳列棚では、各陳列台の下部にその下段の陳列台上面を照明するための蛍光灯を有している。この蛍光灯は陳列台間において高さ方向に１０〜２０ｃｍのスペースを占めるものであり、各陳列台の配置間隔は３０〜５０ｃｍとするのが一般的である。例えば、陳列棚の陳列スペースが高さ９０ｃｍであり、各陳列台の配置間隔は３０ｃｍである場合、６段の陳列台を設けることが可能である。
【０００４】
尚、蛍光灯に代えて、１つ又は複数のハロゲンランプを陳列台下部に設置する照明方法もあるが、蛍光灯を設置する場合に比べて、より大きな高さ方向のスペースが必要となってしまう
【考案の開示】
【考案が解決しようとする課題】
【０００５】
上記の通り、従来の陳列棚では、各陳列台下部に設置する蛍光灯などの寸法がかさむため、各陳列台の配置間隔を３０〜５０ｃｍとしなければならず、陳列台の段数を増やして陳列面積を増大させるには限りがあった。
また、従来の陳列棚において照明に用いられている蛍光灯やハロゲンランプは、照明にむらが生じ、消費電力が大きく、寿命が短いため頻繁に交換を行わなければならないという問題点があった。
【０００６】
本考案はこのような従来技術の問題点に鑑みてなされたものであり、むらが少なく低消費電力、長寿命の照明手段を用いることができ、かつ、従来の陳列棚に比べて陳列台の段数を増やして陳列面積が増大された陳列棚を提供しようとするものである。
【課題を解決するための手段】
【０００７】
上記解決課題に鑑みて鋭意研究の結果、本考案者は、各陳列台下部に設置する照明手段として、一列に配置した複数のＬＥＤ（発光ダイオード）を用いることにより、各陳列台の配置間隔を１５ｃｍ程度まで縮小することを着想し、本考案をなすに至った。
すなわち、本考案は、複数の陳列台をほぼ平行に配設した物品の陳列棚であって、各陳列台の下面において、複数のＬＥＤを当該陳列台の長辺方向に一列に配設し、当該複数のＬＥＤを発光させることにより、当該陳列台の下段の陳列台上面を照明することを特徴とする陳列棚を提供するものである。
ＬＥＤは、むらが少なく低消費電力で長寿命であり、かつ、蛍光灯やハロゲンランプに比べて寸法が小さいので、本考案の陳列棚は上記の従来の陳列棚における課題を全て解決し得るものである。
【０００８】
本考案の陳列棚において、前記複数のＬＥＤは、その高さ方向寸法が１ｃｍ以上かつ３ｃｍ以下であり、前記複数の陳列台の高さ方向における配置間隔は、１０ｃｍ以上かつ２０ｃｍ以下であることを特徴とする。
これにより、従来の陳列棚に比べて、ほぼ２倍の陳列面積を確保することが可能となる。
【０００９】
本考案の陳列棚において、前記複数のＬＥＤは、当該複数のＬＥＤに電源供給可能なコンピュータ用基板上に配設されていることを特徴とする。
このコンピュータ用基板により、各ＬＥＤへの電源供給や明るさ、オンオフなどを自在に制御することができる。
【００１０】
また、本考案の陳列棚は、前記各陳列台の下面に配設された前記複数のＬＥＤと、当該陳列台の下段の陳列台との間に、アクリル板を配置したことを特徴とする。
例えば、乳白色のアクリル板を配置するなどして、陳列物品に対して所望の照明光を当てることが可能となる。
【考案の効果】
【００１１】
以上説明したように、本考案の陳列棚によれば、むらが少なく低消費電力、長寿命の照明手段を用いて、従来の陳列棚に比べて陳列台の段数を増やして陳列面積が増大された陳列棚が提供される
これにより、従来よりも多数の物品を陳列したり、従来よりも大きなスペースを用いて各物品を陳列したりすることが可能となる。
【考案を実施するための最良の形態】
【００１２】
本考案の陳列棚について、添付図面を参照しながら、その具体的な実施の形態を説明する。以下では、陳列物品として眼鏡を例示しているが、本考案の陳列棚はこの例に限定されるものではない。
【００１３】
図１は、本実施形態の眼鏡陳列棚の全体構成を概略的に示す図である。図１において、（ａ）は本実施形態の眼鏡陳列棚の正面図、（ｂ）はその側面図である。
このように本実施形態の眼鏡陳列棚は、上側に６段の陳列台を有し、下側に前方に引き出し可能なスライド棚及び商品等収納用の戸棚を有するものである。
図示するように、各陳列台の下部には、複数のＬＥＤが一列に配置されている。これらのＬＥＤにより、その下段の陳列台上に陳列される眼鏡が照明されることになる。
【００１４】
図１に示す眼鏡陳列棚の寸法・形状に関しては、使用者が最も効果的と考える陳列となるように任意の寸法・形状を採用することができる。
例えば、眼鏡陳列棚全体については、高さ約２００ｃｍ、幅約１２０ｃｍ、奥行き約５０ｃｍとし、各陳列台については、幅約１２０ｃｍ、奥行き約２５ｃｍ、高さ方向厚み約１０ｃｍとして、このような陳列台を陳列棚本体の高さ９０ｃｍより上の部分に、約１５〜３０ｃｍ間隔で配置することができる。
また、ＬＥＤの発光強度、色合い、明るさ等に関しても、使用者が最も効果的と考えるような任意の調整を行うことができる。
【００１５】
図２は、本実施形態の眼鏡陳列棚に用いるＬＥＤ配設板を示す図である。
図示するように、このＬＥＤ配設板は、一辺が長く薄い板状部材の一面にその長辺方向に沿ってＬＥＤを一列に固定したものである。また、ＬＥＤ配設板の一端には、電源供給用の導線が設けられている。
板状部材は、コンピュータ用基板を流用することができる。これにより、安価にＬＥＤ配設板を作成することができる。
【００１６】
本実施形態の眼鏡陳列棚において、ＬＥＤを含めたＬＥＤ配設板の厚みは約１〜２ｃｍとすることができる。このため、従来の蛍光灯などに比べて、大幅な省スペース化を実現することができる。
【００１７】
図３は、本実施形態の眼鏡陳列棚における眼鏡の陳列方法の例を示す図である。
図３に示すように、本実施形態の眼鏡陳列棚では、ＬＥＤ配設板の厚みが従来の蛍光灯等に比べて大幅に小さいので、陳列台の段数を増設することが可能である。このようにして増大した陳列スペースに、従来とは異なり眼鏡のつるを開いた状態で配置することにより、より効果的な陳列を行うことが可能である。
勿論、従来同様、眼鏡のつるを畳んだ状態で配置することにより、陳列点数を多くすることも可能である。
【００１８】
尚、本実施形態の眼鏡陳列棚において、陳列商品の照明性能を向上させるために、ＬＥＤの直下に乳白色のアクリル板を適用することも可能である。これにより、ＬＥＤの光を直接照射する場合に比べて、柔らかい光を商品に当てることが可能となる。
【００１９】
以上、本考案の陳列棚について、具体的な実施形態として眼鏡陳列棚を例にとって説明したが、本考案の陳列棚はこの形態に限定されるわけではない。本考案の陳列棚は、眼鏡に限らずあらゆる物品の陳列に用いることが可能であり、ＬＥＤ等の照明手段は陳列対象の物品に応じて適宜調整することが可能である。また、本考案の陳列棚の寸法形状、陳列台の寸法形状及び配置などは、使用者の所望により適宜変更を加えることが可能である。
【図面の簡単な説明】
【００２０】
【図１】本考案の一実施形態に係る眼鏡陳列棚の全体構成を概略的に示す図である。
【図２】図１に示す眼鏡陳列棚に用いるＬＥＤ配設板を示す図である。
【図３】図１に示す眼鏡陳列棚における眼鏡の陳列方法の例を示す図である。
【図４】従来の眼鏡陳列棚の例を示す図である。
【図１】
0003134513.tif 000003
【図２】
0003134513.tif 000004
【図３】
0003134513.tif 000005
【図４】
0003134513.tif 000006